【手続補正書】
【提出日】平成17年10月18日(2005.10.18)
【手続補正１】
【補正対象書類名】明細書
【補正対象項目名】特許請求の範囲
【補正方法】変更
【補正の内容】
【特許請求の範囲】
【請求項１】  トルエン、キシレン、ヘプタンおよびヘキサンからなる群から選択される少なくとも１種の無極性有機溶媒に可溶であり、少なくとも７０，０００の分子量（Ｍｗ）を有し弾性特性であるプロピレンホモポリマーであって、
ａ）それぞれがｒまたはｍダイアドのみを有し全部が２０〜１５０オングストロームの範囲のヘリカル長さを有する３重量％より多く且つ４５重量％以下のホモタクチックシークェンスと、
ｂ）下記１）および２）の合計が全組成物の５５〜９７重量％となる範囲において、
１）それぞれがｒまたはｍダイアドのみを有しヘリカル長さが２０オングストローム未満であり、ｍｍｍｍペンタッドが全組成物の０〜３５重量％の範囲で存在して１０個より少ない反復単位を有するホモタクチックシークェンスと、
２）異なる数のｒおよびｍダイアドを有するヘテロタクチックシークェンスとを含み、
そのポリマーが少なくとも７０，０００の平均分子量（Ｗw）を有し、また、下記の特性、
ｉ）１．３０〜１０．００の間の立体規則性指数、
ｉｉ）ｍｍ＞ｒｒの時に１００％アイソタクチックポリプロピレンのΔＨｆｕｓの５０％未満であるか、またはｒｒ＞ｍｍの時に１００％シンジオタクチックポリプロピレンのΔＨｆｕｓの５０％未満である融解熱（ΔＨｆｕｓ）および
ｉｉｉ）光学的透明性
、の１つ以上を有する、プロピレンホモポリマー。
【請求項２】  式｛配位子１−ブリッジ−配位子２｝ＭＸ２
（式中、配位子１と配位子２は異なるものであり、その配位子は、
ｉ）Ｃ１〜Ｃ４直鎖または分岐アルキル、
ｉｉ）Ｃ６〜Ｃ２０アリール、
ｉｉｉ）Ｃ７〜Ｃ２０アルキルアリール、
ｉｖ）Ｃ４〜Ｃ７シクロアルキル、
ｖ）同じ環構造において隣接環または非隣接環の炭素原子を結合する（−ＣＨ２−）（ここでｎは３、４または５である）または（−ＣＨ＝ＣＨ−）ｍ（ここでｍは１、２、３または４である）、
ｖｉ）縮合芳香族環および
ｖｉｉ）基ｉ）〜ｉｖ）のいずれかによって置換された縮合芳香族環
からなる群から選択される基によって置換されることが可能である、シクロペンタジエニル（Ｃｐ）、インデニル（ｉｎｄ）、フルオレニル（ｆｌｕ）、４，５−ジヒドロシクロペンタフェナトリル（Ｈ２ＣＰＡ）およびシクロペンタフェナントリル（ＣＰＡ）環基からなる群から選択され、
前記ブリッジは、Ｃｐおよびｉｎｄ配位子のＣ−１位置またはｆｌｕおよびＣＰＡ配位子のＣ−９位置で前記配位子１と前記配位子２を結合する結合基であり、
ｉ）＞ＣＲ１Ｒ２、
ｉｉ）＞ＳｉＲ１Ｒ２、
ｉｉｉ）−ＣＲ１Ｒ２−ＣＲ３Ｒ４−、
ｉｖ）−ＳｉＲ１Ｒ２−ＳｉＲ３Ｒ４−、
ｖ）−ＣＲ１Ｒ２−ＳｉＲ３Ｒ４−、
ｖｉ）−ＳｉＲ１Ｒ２−ＣＲ３Ｒ４−
からなる群から選択され（ここでＲ１、Ｒ２、Ｒ３およびＲ４は、同じまたは異なることが可能であり、Ｈ、Ｃ１〜Ｃ２０直鎖または分岐アルキル、Ｃ６〜Ｃ２０アリールおよびＣ３〜Ｃ８シクロアルキルからなる群から選択される）、
Ｍは、Ｚｒ、ＨｆおよびＴｉからなる群から選択される金属原子であり、好ましくはジルコニウムであり、
Ｘは、Ｃｌ、Ｂｒ、Ｉ、Ｃ１〜Ｃ２０直鎖または分岐アルキル、Ｃ６〜Ｃ２０アリール、Ｃ７〜Ｃ２０アルカリールおよびＣ７〜Ｃ２０アラルキルからなる群から選択される）
を有するメタロセン触媒によって調製される、請求項１に記載のポリプロピレンポリマー。
【請求項３】  式｛配位子１−ブリッジ−配位子２｝ＭＸ２
（式中、配位子１と配位子２は異なるものであり、
ｉ）Ｃ１〜Ｃ４直鎖または分岐アルキル、
ｉｉ）Ｃ６〜Ｃ２０アリール、
ｉｉｉ）Ｃ７〜Ｃ２０アルキルアリール、
ｉｖ）Ｃ４〜Ｃ７シクロアルキル、
ｖ）同じ環構造において隣接環または非隣接環の炭素原子を結合する（−ＣＨ２−）ｎ（ここでｎは３、４または５である）または（−ＣＨ＝ＣＨ−）ｍ（ここでｍは１、２、３または４である）、
ｖｉ）縮合芳香族環および
ｖｉｉ）基ｉ）〜ｉｖ）のいずれかによって置換された縮合芳香族環
からなる群から選択される基によって置換されることが可能である、シクロペンタジエニル（Ｃｐ）、インデニル（ｉｎｄ）、フルオレニル（ｆｌｕ）、４，５−ジヒドロシクロペンタフェナントリルおよびシクロペンタフェナントリル（ＣＰＡ）環基からなる群から選択され、
前記ブリッジは、Ｃｐおよびｉｎｄ配位子のＣ−１位置またはｆｌｕおよびＣＰＡ配位子のＣ−９位置で配位子１と配位子２を結合する結合基であり、
ｉ）＞ＣＲ１Ｒ２、
ｉｉ）＞ＳｉＲ１Ｒ２、
ｉｉｉ）−ＣＲ１Ｒ２−ＣＲ３Ｒ４−、
ｉｖ）−ＳｉＲ１Ｒ２−ＳｉＲ３Ｒ４−、
ｖ）−ＣＲ１Ｒ２−ＳｉＲ３Ｒ４−、
ｖｉ）−ＳｉＲ１Ｒ２−ＣＲ３Ｒ４−からなる群から選択され
（ここでＲ１、Ｒ２、Ｒ３およびＲ４は、同じまたは異なることが可能であり、Ｈ、Ｃ１〜Ｃ２０直鎖または分岐アルキル、Ｃ６〜Ｃ２０アリールおよびＣ３〜Ｃ８シクロアルキルからなる群から選択される）、
Ｍは、Ｚｒ、ＨｆおよびＴｉからなる群から選択される金属原子であり、好ましくはジルコニウムであり、
Ｘは、Ｃｌ、Ｂｒ、Ｉ、Ｃ１〜Ｃ２０直鎖または分岐アルキル、Ｃ１〜Ｃ２０直鎖または分岐オキシアルキル、Ｃ６〜Ｃ２０アリール、Ｃ７〜Ｃ２０アルキルアリールおよびＣ７〜Ｃ２０アリールアルキルからなる群から選択される）
を有し、１．３〜１．６９の範囲の非対称パラメータを有するメタロセン触媒および活性化助触媒の存在下でプロピレンを重合するステップを含む、
前記触媒の非対称パラメータの増加につれて高まる１．３０〜１０．００の範囲の立体規則性指数（Ｓ．Ｉ．）を有する請求項１に記載のポリプロピレンの立体構造を制御する方法。
【請求項４】  構造｛配位子１−ブリッジ−配位子２｝ＭＸ２
（式中、配位子１と配位子２は異なるものであり、その配位子は、置換および非置換のシクロペンタジエニル、インデニル、フルオレニルおよびシクロペンタフェナントリル環基からなる群から選択され、ここで環基の置換基が存在する場合、それらは、
ｉ）Ｃ１〜Ｃ４直鎖または分岐アルキル、
ｉｉ）Ｃ６〜Ｃ２０アリール、
ｉｉｉ）Ｃ７〜Ｃ２０アルキルアリール、
ｉｖ）Ｃ４〜Ｃ７シクロアルキル、
ｖ）同じ環構造において隣接環または非隣接環の炭素原子を結合する（−ＣＨ２−）ｎ（ここでｎは３、４または５である）または（−ＣＨ＝ＣＨ−）ｍ（ここでｍは１、２、３または４である）、
ｖｉ）縮合芳香族環および
ｖｉｉ）基ｉ）〜ｖ）のいずれか１つによって置換された縮合芳香族環
からなる群から選択され、
前記ブリッジは、
ｉ）＞ＣＲ１Ｒ２、
ｉｉ）＞ＳｉＲ１Ｒ２、
ｉｉｉ）−ＣＲ１Ｒ２−ＣＲ３Ｒ４−、
ｉｖ）−ＳｉＲ１Ｒ２−ＳｉＲ３Ｒ４−、
ｖ）−ＣＲ１Ｒ２−ＳｉＲ３Ｒ４−、
ｖｉ）−ＳｉＲ１Ｒ２−ＣＲ３Ｒ４−からなる群から選択され
（ここでＲ１、Ｒ２、Ｒ３およびＲ４は、同じまたは異なることが可能であり、Ｈ、Ｃ１〜Ｃ２０直鎖または分岐アルキル、Ｃ６〜Ｃ２０アリールおよびＣ３〜Ｃ８シクロアルキルからなる群から選択される）、
Ｍは、Ｚｒ、ＨｆおよびＴｉからなる群から選択される金属原子であり、Ｘは、Ｃｌ、Ｂｒ、Ｉ、Ｃ１〜Ｃ２０直鎖または分岐アルキル、Ｃ６〜Ｃ２０アリール、Ｃ７〜Ｃ２０アルキルアリールおよびＣ７〜Ｃ２０アリールアルキルからなる群から選択される）
を有するメタロセン触媒であって、Ｍ＝Ｚｒ、ブリッジ＝Ｃ２Ｈ４の時、コンポーネント（ｖ）は（−ＣＨ２−）ｎ（ここでｎ−３、４または５である）または（−ＣＨ＝ＣＨ−）ｍ’（ここでｍ’は２、３または４である）であることを条件として、１．３〜１．６９の非対称パラメータを示すオレフィン重合用のメタロセン触媒および活性化助触媒。